(57)【要約】【課題】  無線通信における最大通信速度をリアルタイムに、かつ容易に識別できる方法でユーザに報知する無線通信装置を提供する。【解決手段】  ＰＣ１０に着脱可能に構成されるＰＨＳデータ通信カード（無線通信装置）１００において、データ流量検出部１１２によりＰＣ１０と無線基地局１との間のデータ流量を検出し、データ流量に応じて、スロット数切替部１１３により、物理チャネル内のスロット数を切り替え、パケットデータ通信路の回線接続数を増減する。そして、スロット数検出部１１４により、切り替えられたスロット数の情報を検出し、この検出されたスロット数の情報を、表示制御部１１５の制御により、ＬＥＤ１０２ａの表示状態を変化させて表示する。【選択図】  図４
2007013330.tif 000002
【特許請求の範囲】
【請求項１】
ＰＣ本体に着脱可能に構成され、前記ＰＣが無線基地局とパケットデータ通信を行うための通信端末として使用される無線通信装置であって、
前記ＰＣと前記無線基地局との間のデータ流量を検出するデータ流量検出手段と、
前記データ流量検出手段により検出されたデータ流量に応じて、前記パケットデータ通信の帯域幅増加単位ずつ当該帯域幅を増減し、通信速度を増減させる帯域幅増減手段と、
前記帯域幅増減手段により増減された帯域幅の情報を検出する帯域幅検出手段と、
前記帯域幅検出手段により検出された帯域幅の情報を、表示状態を変化させて表示する表示制御手段と
を備えることを特徴とする無線通信装置。
【請求項２】
前記帯域幅増減手段は、
１または複数の物理チャネル内でのパケット通信により前記無線基地局と確立される通信の帯域幅を帯域幅増加単位ずつ増減し、通信速度を増減させる
ことを特徴とする請求項１に記載の無線通信装置。
【請求項３】
前記表示制御手段は、
１または複数のＬＥＤの表示状態を変化させて、前記帯域幅の情報を表示する
ことを特徴とする請求項１または請求項２に記載の無線通信装置。
【請求項４】
前記表示制御手段は、多色発光ＬＥＤを使用し、スロット数の情報を、ＬＥＤの発光色を変化させて表示する手段を
備えることを特徴とする請求項１から請求項３の何れかに記載の無線通信装置。
【請求項５】
前記表示制御手段は、２色発光ＬＥＤを使用し、スロット数の情報を、２色の輝度の割合を変化させて表示する手段を
備えることを特徴とする請求項１から請求項３の何れかに記載の無線通信装置。
【請求項６】
前記表示制御手段は、単色発光ＬＥＤを使用し、スロット数の情報を、ＬＥＤの輝度を変化させて表示する手段を
備えることを特徴とする請求項１から請求項３の何れかに記載の無線通信装置。
【請求項７】
前記表示制御手段は、単色発光ＬＥＤを使用し、スロット数の情報を、ＬＥＤの点滅間隔を変化させて表示する手段を
備えることを特徴とする請求項１から請求項３の何れかに記載の無線通信装置。
【請求項８】
前記表示制御手段は、単色発光ＬＥＤを複数個配列したレベルメータを使用し、スロット数の情報を、ＬＥＤの点灯個数を変化させて表示する手段を
備えることを特徴とする請求項１から請求項３の何れかに記載の無線通信装置。
【請求項９】
前記表示制御手段は、
前記ＰＣの画面に前記帯域幅の情報を文字または図形により表示する帯域幅表示用情報を前記ＰＣに送出する
ことを特徴とする請求項１または請求項２に記載の無線通信装置。
【請求項１０】
ＰＣ本体に着脱可能に構成され、前記ＰＣが無線基地局とパケットデータ通信を行うための通信端末として使用される無線通信装置における無線通信速度表示方法であって、
前記無線通信装置内のコンピュータが、
前記ＰＣと前記無線基地局との間のデータ流量を検出し、
前記検出されたデータ流量に応じて、前記パケットデータ通信の帯域幅増加単位ずつ当該帯域幅を増減し、通信速度を増減させ、
前記増減された帯域幅の情報を検出し、
前記検出された帯域幅の情報を、表示状態を変化させて表示する
ことを特徴とする無線通信速度表示方法。
【請求項１１】
ＰＣ本体に着脱可能に構成され、前記ＰＣが無線基地局とパケットデータ通信を行うための通信端末として使用される無線通信装置のコンピュータに、
前記ＰＣと前記無線基地局との間のデータ流量を検出するデータ流量検出処理と、
前記データ流量検出処理により検出されたデータ流量に応じて、前記パケットデータ通信の帯域幅増加単位ずつ当該帯域幅を増減し、通信速度を増減させる帯域幅増減処理と、
前記帯域幅増減処理により増減された帯域幅の情報を検出する帯域幅検出処理と、
前記帯域幅検出処理により検出された帯域幅の情報を、表示状態を変化させて表示する表示制御処理と
を備えることを特徴とする無線通信装置。
を実行させるためのプログラムを記録したコンピュータ読み取り可能な記録媒体。
【請求項１２】
ＰＣ本体に着脱可能に構成され、前記ＰＣが無線基地局とパケットデータ通信を行うための通信端末として使用される無線通信装置のコンピュータに、
前記ＰＣと前記無線基地局との間のデータ流量を検出するデータ流量検出処理と、
前記データ流量検出処理により検出されたデータ流量に応じて、前記パケットデータ通信の帯域幅増加単位ずつ当該帯域幅を増減し、通信速度を増減させる帯域幅増減処理と、
前記帯域幅増減処理により増減された帯域幅の情報を検出する帯域幅検出処理と、
前記帯域幅検出処理により検出された帯域幅の情報を、表示状態を変化させて表示する表示制御処理と
を備えることを特徴とする無線通信装置。
を実行させるためのプログラム。
【発明の詳細な説明】
【技術分野】
【０００１】
本発明は、無線通信装置、無線通信速度表示方法、記録媒体、およびプログラムに関し、特に、無線通信における最大通信速度をリアルタイムに、かつ容易に識別できる方法でユーザに報知することができる、無線通信装置、無線通信速度表示方法、記録媒体、及びプログラムに関するものである。
【背景技術】
【０００２】
従来、通信機器においては、その通信速度をＬＥＤ（発光ダイオード）で表示させるファクシミリ装置などは存在した（例えば、特許文献１参照）。しかしながら、それは通信回線が有線であり、一度通信速度が決まってしまえば通信中その通信速度が途中から変わることは無く、通信状態（データ量、電波品質）がリアルタイムに変化する無線通信装置には不向きなものであった。
【０００３】
また、携帯電話機等においては、電波レベル(強・中・弱・圏外等)や、通信方式（ＰＩＡＦＳ／パケット等の事業者のサービスの種類）を液晶画面上で表示するものがあるが、通信中の時点における最大通信速度をリアルタイムに表示するものはなく、ユーザは、最大の通信速度を得られるように機器を移動するなどの対策を容易には行えなかった。
【特許文献１】特開平１１−４１３９８号公報
【発明の開示】
【発明が解決しようとする課題】
【０００４】
本発明はこのような問題を解決するためになされたもので、その目的は、無線通信における最大通信速度をリアルタイムに、かつ容易に識別できる方法でユーザに報知することができる、無線通信装置、無線通信速度表示方法、記録媒体、およびプログラムを提供することにある。
【課題を解決するための手段】
【０００５】
本発明は上記課題を解決するためになされたものであり、ＰＣ本体に着脱可能に構成され、前記ＰＣが無線基地局とパケットデータ通信を行うための通信端末として使用される無線通信装置であって、前記ＰＣと前記無線基地局との間のデータ流量を検出するデータ流量検出手段と、前記データ流量検出手段により検出されたデータ流量に応じて、前記パケットデータ通信の帯域幅増加単位ずつ当該帯域幅を増減し、通信速度を増減させる帯域幅増減手段と、前記帯域幅増減手段により増減された帯域幅の情報を検出する帯域幅検出手段と、前記帯域幅検出手段により検出された帯域幅の情報を、表示状態を変化させて表示する表示制御手段とを備えることを特徴とする無線通信装置である。
これにより、通信に使用されている帯域幅を検出することにより、その時点での最大通信速度をユーザに報知できる。また、最大通信速度を報知されることによりユーザは間接的に電波環境が悪いことを知ることができ、ＰＣの移動等の改善策をとることができる。
【０００６】
また本発明は、前記帯域幅増減手段が、１または複数の物理チャネル内でのパケット通信により前記無線基地局と確立される通信の帯域幅を帯域幅増加単位ずつ増減し、通信速度を増減させることを特徴とする。これにより物理チャネル数に応じた帯域幅の増減により、その時点での最大通信速度をユーザに報知できる。
【０００７】
また本発明は、前記表示制御手段が、１または複数のＬＥＤの表示状態を変化させて、前記帯域幅の情報を表示することを特徴とする。これによりＬＥＤの表示状態によりユーザは、その時点での最大通信速度を知ることができる。
【０００８】
また本発明は、前記表示制御手段が、多色発光ＬＥＤを使用し、スロット数の情報を、ＬＥＤの発光色を変化させて表示する手段を備えることを特徴とする。
これにより、ユーザは通信中に、その時点における最大通信速度を容易に知ることができる。
【０００９】
また本発明は、前記表示制御手段が、２色発光ＬＥＤを使用し、スロット数の情報を、２色の輝度の割合を変化させて表示する手段を備えることを特徴とする。
これにより、ユーザは通信中に、その時点における最大通信速度を容易に知ることができる。
【００１０】
また本発明は、前記表示制御手段が、単色発光ＬＥＤを使用し、スロット数の情報を、ＬＥＤの輝度を変化させて表示する手段を備えることを特徴とする。
これにより、ユーザは通信中に、その時点における最大通信速度を容易に知ることができる。
【００１１】
また本発明は、前記表示制御手段が、単色発光ＬＥＤを使用し、スロット数の情報を、ＬＥＤの点滅間隔を変化させて表示する手段を備えることを特徴とする。
これにより、ユーザは通信中に、その時点における最大通信速度を容易に知ることができる。
【００１２】
また本発明は、前記表示制御手段が、単色発光ＬＥＤを複数個配列したレベルメータを使用し、スロット数の情報を、ＬＥＤの点灯個数を変化させて表示する手段を備えることを特徴とする。
これにより、ユーザは通信中に、その時点における最大通信速度を容易に知ることができる。
【００１３】
また本発明は、前記表示制御手段が、前記ＰＣの画面に前記帯域幅の情報を文字または図形により表示する帯域幅表示用情報を前記ＰＣに送出することを特徴とする。
これにより、ユーザは通信中に、その時点における最大通信速度を容易に知ることができる。
【００１４】
また、本発明の無線通信速度表示方法は、ＰＣ本体に着脱可能に構成され、前記ＰＣが無線基地局とパケットデータ通信を行うための通信端末として使用される無線通信装置における無線通信速度表示方法であって、前記無線通信装置内のコンピュータが、前記ＰＣと前記無線基地局との間のデータ流量を検出するデータ流量検出手順と、前記無線通信装置内のコンピュータが、前記データ流量検出手順により検出されたデータ流量に応じて、前記パケットデータ通信に使用される通信用のスロット数を切り替え、通信速度を増減させるスロット数切替手順と、前記無線通信装置内のコンピュータが、前記スロット数切替手順により増減されたスロット数の情報を検出するスロット数検出手順と、前記無線通信装置内のコンピュータが、前記スロット数検出手順により検出されたスロット数の情報を、１または複数のＬＥＤの表示状態を変化させて表示する表示制御手順とを含むことを特徴とする。
これにより、通信に使用されているスロット数を検出することにより、その時点での最大通信速度をユーザに報知できる。また、電波環境が悪く、スロット数を増加できない場合もあるので、この場合は、ユーザは間接的に電波環境が悪いことを知ることができ、ＰＣの移動等の改善策をとることができる。
【００１５】
また、本発明のコンピュータ読み取り可能な記録媒体は、ＰＣ本体に着脱可能に構成され、前記ＰＣが無線基地局とパケットデータ通信を行うための通信端末として使用される無線通信装置内のコンピュータに、前記ＰＣと前記無線基地局との間のデータ流量を検出するデータ流量検出手順と、前記データ流量検出手順により検出されたデータ流量に応じて、前記パケットデータ通信に使用される通信用のスロット数を切り替え、通信速度を増減させるスロット数切替手順と、前記スロット数切替手順により増減されたスロット数の情報を検出するスロット数検出手順と、前記スロット数検出手順により検出されたスロット数の情報を、１または複数のＬＥＤの表示状態を変化させて表示する表示制御手順とを実行させるためのプログラムを記録したコンピュータ読み取り可能な記録媒体である。
【００１６】
また、本発明のコンピュータプログラムは、ＰＣ本体に着脱可能に構成され、前記ＰＣが無線基地局とパケットデータ通信を行うための通信端末として使用される無線通信装置内のコンピュータに、前記ＰＣと前記無線基地局との間のデータ流量を検出するデータ流量検出手順と、前記データ流量検出手順により検出されたデータ流量に応じて、前記パケットデータ通信に使用される通信用のスロット数を切り替え、通信速度を増減させるスロット数切替手順と、前記スロット数切替手順により増減されたスロット数の情報を検出するスロット数検出手順と、前記スロット数検出手順により検出されたスロット数の情報を、１または複数のＬＥＤの表示状態を変化させて表示する表示制御手順とを実行させるためのプログラムである。
【発明の効果】
【００１７】
本発明の無線通信装置においては、ＰＣと無線基地局との間のデータ流量を検出し、検出されたデータ流量に応じて、パケットデータ通信に使用される通信用のスロット数を増加または減少させ、このスロット数の情報を、１または複数のＬＥＤの表示状態を変化させて表示するようにしたので、これにより、通信に使用されているスロット数を検出し、その時点での最大通信速度をユーザに報知できる。また、電波環境が悪く、スロット数を増加できない場合もあるので、この場合は、ユーザは間接的に電波環境が悪いことを知ることができ、ＰＣの移動等の改善策をとることができる。
【００１８】
また、本発明の無線通信装置においては、ＰＣとＰＨＳの無線基地局との間のデータ流量を検出し、このデータ流量に応じて、物理チャネル内での通信に使用されるスロット数を増加または減少させ、このスロット数の情報を、１または複数のＬＥＤの表示状態を変化させて表示するようにしたので、これにより、通信に使用されているスロット数を検出し、その時点での最大通信速度をユーザに報知できる。また、電波環境が悪く、スロット数を増加できない場合もあるので、この場合は、ユーザは間接的に電波環境が悪いことを知ることができ、ＰＣの移動等の改善策をとることができる。
【００１９】
また、本発明の無線通信装置においては、多色発光ＬＥＤを使用し、通信に使用されているスロット数の情報を、ＬＥＤの発光色を変化させて表示するようにしたので、これにより、ユーザは通信中に、その時点における最大通信速度を容易に知ることができる。
【００２０】
また、本発明の無線通信装置においては、２色発光ＬＥＤを使用し、通信に使用されているスロット数の情報を、各色の輝度を変化させて表示するようにしたので、これにより、ユーザは通信中に、その時点における最大通信速度を容易に知ることができる。
【００２１】
また、本発明の無線通信装置においては、単色発光ＬＥＤを使用し、通信に使用されているスロット数の情報を、ＬＥＤの輝度を変化させて表示するようにしたので、これにより、ユーザは通信中に、その時点における最大通信速度を容易に知ることができる。
【００２２】
また、本発明の無線通信装置においては、単色発光ＬＥＤを使用し、通信に使用されているスロット数の情報を、ＬＥＤの点滅間隔を変化させて表示するようにしたので、これにより、ユーザは通信中に、その時点における最大通信速度を容易に知ることができる。
【００２３】
また、本発明の無線通信装置においては、単色発光ＬＥＤを複数個配列したレベルメータを使用し、通信に使用されているスロット数の情報を、ＬＥＤの点灯個数を変化させて表示するようにしたので、これにより、ユーザは通信中に、その時点における最大通信速度を容易に知ることができる。
【００２４】
また、本発明の無線通信速度表示方法においては、ＰＣと無線基地局との間のデータ流量を検出し、検出されたデータ流量に応じて、パケットデータ通信に使用される通信用のスロット数を増加または減少させ、このスロット数の情報を、１または複数のＬＥＤの表示状態を変化させて表示するようにしたので、これにより、通信に使用されているスロット数を検出し、その時点での最大通信速度をユーザに報知できる。また、電波環境が悪く、スロット数を増加できない場合もあるので、この場合は、ユーザは間接的に電波環境が悪いことを知ることができ、ＰＣの移動等の改善策をとることができる。
【発明を実施するための最良の形態】
【００２５】
次に本発明を実施するための最良の形態について図面を参照して説明する。
図１は、本発明の無線通信装置の例として、ＰＨＳ（Personal Handyphone System）データ通信カードの例を示したものである。
【００２６】
図１（ａ）に示すように、ＰＨＳデータ通信カード１００は、ＰＣ（パーソナルコンピュータ）等にＰＣＭＣＩＡ−Ｉ／Ｆ部（ＰＣＭＣＩＡインターフェイス部）１０１により装着され、ＰＨＳパケットデータ通信の通信端末として使用されるカードである。ＰＨＳデータ通信カード１００には、通信速度表示用のＬＥＤ１０２ａが設けられ、ＬＥＤ１０２ａの表示状態を変化させることにより、最大通信速度をリアルタイムに表示できるように構成されている。
【００２７】
また、図１（ｂ）はＰＨＳデータ通信カード１００がＰＣ１０に装着された状態を示しており、ＰＣ１０は、ＰＨＳデータ通信カード１００を介して、ＰＨＳの無線基地局１とＰＨＳパケットデータ通信を行う。無線基地局１は、ＰＨＳ電話網２と接続されており、また、ＰＨＳ電話網２はインターネット網３と接続されている。
【００２８】
なお、ＰＨＳにおいては、図６（ａ）に示すように、１つの物理チャネルを８つのスロットに時分割し、送信用に４スロット、受信用に４スロットずつ割り当て、送信用と受信用の各１スロットの対を単位とするパケットブロックを４ブロック使用できるようになっている。１つのパケットブロックにより３２Ｋｂｐｓの通信速度のパケットデータ通信路を構成でき、パケットデータ通信路（パケットブロック）を複数束ねることにより、最大通信速度「３２Ｋｂｐｓ×４＝１２８Ｋｂｐｓ」を得ることができる。
【００２９】
すなわち、物理チャネル中で通信に使用するスロット数を切り替える（増減する）ことにより、パケットデータ通信路の帯域幅（通信速度）を切り替えることができる。
【００３０】
また、図６（ｂ）に示すように、物理チャネルを２つ使用して、３２Ｋｂｐｓ×８＝２５６Ｋｂｐｓの最大通信速度を得るようにすることもできる。なお、使用する物理チャネルは３つ以上であってもよい。
【００３１】
なお、以下の説明において、単に「スロット数」と呼ぶ場合は、送信用と受信用のスロットを１セットとしたスロット数のことを示している。
【００３２】
また、図２は、ＰＨＳデータ通信カードにおけるデータ通信速度の制御手順を示す状態遷移図であり、３２Ｋｂｐｓのパケットデータ通信路を複数束ねて高速パケットデータ通信を実現する手順を状態遷移図で示したものである。
【００３３】
図２おいて、ＰＨＳデータ通信カード１００は、データ通信前は無通信の状態（状態Ｓ１）にある。ＰＣ１０からのダイアルアップ接続指示により、ＰＨＳデータ通信カード１００が無線基地局１と初回の回線接続を行う場合には、まず３２Ｋｂｐｓ×１のシングルパケット（使用するスロット数が１つ）で回線接続を行う。そして、個人認証、ネットワーク認証が全て終了した時点で、使用されているスロット数による帯域幅の検出を行い、この帯域幅に基づく最大通信速度に対応した状態でＬＥＤ１０２ａを点灯する（状態Ｓ２）。
【００３４】
次に通信中の状態（状態Ｓ３）に遷移する。この通信中の状態（状態Ｓ３）において、ＰＣ１０から無線基地局１との間のデータ流量の監視（検出）を開始する。
【００３５】
データ流量の監視により、増速閾値（最初は３２Ｋｂｐｓであり、増速処理の度に３２Ｋｂｐｓ単位で増加）に達したと判定した場合に増速処理（状態Ｓ４）を開始する。この増速処理は３２Ｋｂｐｓ単位で行われ、３２Ｋｂｐｓ×ｎの増速処理が完了すると、通信速度検出およびＬＥＤ点灯（状態Ｓ２）に遷移し、現在のスロット数（帯域数：ｎ）を確認し、ｎに相当する状態でＬＥＤを点灯し、通信中の状態（状態Ｓ３）にもどる。なお、通信速度の減速時の処理についても同様な手順で行われる。
【００３６】
図３は、ＬＥＤによる通信速度の表示方法の例を示す図である。図３に示す例は、２つの物理チャネルを使用し、１パケットブロック（スロット数が１）を使用した１回線（３２Ｋｂｐｓ）から、８パケットブロック（スロット数が８）を使用した最大８回線（３２ｋｂｐｓ×４＝２５６Ｋｂｐｓ）まで、通信速度が変化する場合の、ＬＥＤの表示例を示したものである。
【００３７】
表示例（１）は、多色発光ＬＥＤを使用し、通信速度をＬＥＤの発光色により表示する方法である。スロット数が１の場合（通信速度が３２Ｋｂｐｓの場合）はＬＥＤを無点灯とし、スロット数が２の場合（６４Ｋｂｐｓの場合）は青色（ブルー）で表示し、スロット数が３の場合（９６Ｋｂｐｓの場合）は緑色（グリーン）で表示し、以下、順番に、スロット数に応じてＬＥＤの発光色を変化させ、スロット数が最大８となった場合（２５６Ｋｂｐｓの場合）にピンク色で表示する。
【００３８】
表示例（２）は、赤色と緑色の２色発光ＬＥＤを使用し、赤色と緑色の発光輝度の割り合いを変化させ、緑（グリーン）から赤に８段階に表示する方法である。スロット数が１の場合（通信速度が３２Ｋｂｐｓの場合）は、赤のＬＥＤの発光輝度を１（最高輝度を８とする）とし、緑のＬＥＤの発行輝度を８（最高輝度を８とする）とする。スロット数が２の場合（６４Ｋｂｐｓの場合）は、赤のＬＥＤの発光輝度を２（最高輝度を８とする）とし、緑のＬＥＤの発行輝度を７（最高輝度を８とする）とする。スロット数が３の場合（９６Ｋｂｐｓの場合）は、赤のＬＥＤの発光輝度を３（最高輝度を８とする）とし、緑のＬＥＤの発行輝度を６（最高輝度を８とする）とする。以下、順番に、スロット数に応じて、赤のＬＥＤと緑のＬＥＤの発光輝度を変化させ、スロット数が最大８となった場合（２５６Ｋｂｐｓの場合）に赤色の発光輝度を８（最高輝度を８とする）とし、緑色の発行輝度を１（最高輝度を８とする）とする。
【００３９】
表示例（３）は、単色ＬＥＤの輝度を８段階にし、使用スロット数に応じて、ＬＥＤの発光輝度を変化させる方法である。スロット数が１の場合は、発光輝度を１（最高輝度を８とする）とし、スロット数が２の場合は、発光輝度を２とし、以下、順番に、スロット数に応じて、発光輝度を変化させ、スロット数が最大８となった場合に発光輝度を８（最高輝度）とする。
【００４０】
表示例（４）は、通信速度を、ＬＥＤの点滅間隔で表示する方法である。スロット数が１の場合は、ＬＥＤの点滅間隔を２．５秒とし、スロット数が２の場合は、点滅間隔を２秒とし、以下、順番に、スロット数に応じて、ＬＥＤの点滅間隔を変化させ、スロット数が最大８となった場合にＬＥＤを常時点灯する。
【００４１】
表示例（５）は、ＬＥＤを複数個（例えば、８個）使用してレベルメータを構成し、ＬＥＤの点灯個数により通信速度を表示する方法である。スロット数が１の場合は、１個のＬＥＤを点灯し、スロット数が２の場合は、２個のＬＥＤを点灯し、以下、順番に、スロット数に応じて、ＬＥＤの点灯個数を変化させ、スロット数が最大８となった場合に全部（８個）のＬＥＤ（８個）を点灯する。
【００４２】
上述した表示方法のいずれかの方法を使用することにより、ユーザは、ＰＨＳデータ通信カード１００上のＬＥＤ１００ａの表示状態を見るだけで、現在の最大通信速度を容易に知ることができる。
【００４３】
また、図４は、ＰＨＳデータ通信カードの構成例を示すブロック図である。ＰＨＳデータ通信カード１００にはＰＣＭＣＩＡ・Ｉ／Ｆ部（ＰＣＭＣＩＡインターフェイス部）１０１が設けられ、また、ＰＣ１０にはＰＣＭＣＩＡ・Ｉ／Ｆ部（ＰＣＭＣＩＡインターフェイス部）１４が設けられており、ＰＨＳデータ通信カード１００はＰＣ１０とＰＣＭＣＩＡインターフェイスにより接続される。
【００４４】
なお、ＰＣ１０はパーソナルコンピュータ等のコンピュータ機器であり、内部にＣＰＵ１１、ＲＯＭ１２、ＲＡＭ１３を有する他、ハードディスク等の記憶部や、液晶画面やキーボード等の入出力用のインターフェイスを備えている。
【００４５】
ＰＨＳデータ通信カード１００内には、１または複数のＬＥＤ１０２ａを用いた表示部１０２、ＲＡＭ１０３、ＲＯＭ１０４、制御部１１０、通信部１２０が設けられている。制御部１１０中の増速／減速処理部１１１には、データ流量検出部（データ流量検出手段）１１２とスロット数切替部（スロット数切替手段）１１３とが含まれている。データ流量検出部１１２は、ＰＣ１０と無線基地局１との間で送受信されるデータの流量を検出する処理を行う。スロット数切替部１１３では、データ流量検出部１１２により検出されたデータ流量に応じて、通信に使用するスロット数を切り替える処理を行う。
【００４６】
スロット数検出部（スロット数検出手段）１１４は、増速／減速処理部１１１で切り替えられたスロット数を検出する処理を行う。表示制御部（表示制御手段）１１５は、スロット数検出部１１４で検出されたスロット数の情報に応じて、表示部１０２のＬＥＤ１０２ａの発光制御を行う（図３参照）。
【００４７】
通信部１２０は、パケット通信部（＃１〜＃ｎ）１２１と、無線送受信部であるＲＦ（＃１〜＃ｎ）１２２と、アンテナ１２３とで構成されている。なお、パケット通信部（＃１〜＃ｎ）１２１と、無線送受信部であるＲＦ（＃１〜＃ｎ）１２２と、アンテナ１２３とは、パケットデータ通信路（物理チャネル内のスロットに対応するパケットデータ通信路）ごとに設けられた論理構成のイメージにより示しているが、実際にはパケット通信部（＃１〜＃ｎ）１２１と、ＲＦ（＃１〜＃ｎ）１２２と、アンテナ１２３のそれぞれは、物理的に１セットであり、一体化された構成のものである。
【００４８】
例えば、ＰＨＳにおいては、図６（ａ）に示すように、１つの物理チャネルを８つのスロットに時分割し、送信用に４スロット、受信用に４スロットずつ割り当て、送信用と受信用に１スロットずつ割り当てたパケットブロックを４ブロック使用できるようになっている。また、図６（ｂ）に示すように、物理チャネルを２つ使用して、送信用と受信用に１スロットずつ割り当てたパケットブロックを８ブロック使用できるようになっている。このため、パケット通信部（＃１〜＃ｎ）１２１と、無線送受信部であるＲＦ（＃１〜＃ｎ）１２２と、アンテナ１２３を、各パケットブロック（パケットデータ通信路）に対応させたイメージで示したものである。
【００４９】
そして、ＰＨＳの無線基地局１に送信される送信データは、パケット通信部（＃１〜＃ｎ）１２１に振り分けられ、パケット通信部（＃１〜＃ｎ）１２１に対応するＲＦ（＃１〜＃ｎ）１２２から無線電波によりＰＨＳの無線基地局１に向けて送信される。また、ＰＨＳの無線基地局１から受信するデータは、無線送受信部であるＲＦ（＃１〜＃ｎ）１２２と、パケット通信部（＃１〜＃ｎ）１２１により、各パケットデータ通信路ごとに受信される。
【００５０】
また、図５は、ＰＨＳデータ通信カード内における処理の流れを示すフローチャートである。以下、図５を参照して、その処理の流れについて説明する。
ＰＨＳデータ通信カード１００では、ＰＣ１０からの発呼の指示信号を受信して、ＰＨＳの無線基地局１への、ダイアルアップ接続処理を開始し（ステップＳ１１）、最初にシングルパケット（スロット数が１）により、無線基地局１と回線接続処理を行う（ステップＳ１２）。そして、ＰＨＳデータ通信カード１００と無線基地局１との間で、個人認証と、ネットワーク認証が行われ（ステップＳ１３、Ｓ１４）、認証が正常に行われた後に、シングルパケットによる回線接続が行われる。
【００５１】
ＰＨＳデータ通信カード１００と無線基地局１とのパケットデータ通信路の回線接続が行われると、ＰＨＳデータ通信カード１００では、データ流量検出部１１２のデータ流量の検出と、その検出されたデータ流量に基づくスロット数切替部のスロット切替処理により、スロット数検出部１１４が通信スロット数を検出し（ステップＳ１５）、表示制御部１１５により表示部１０２のＬＥＤ１０２ａを制御し、通信スロット数に応じた表示状態によりＬＥＤ１０２ａを点灯させる（ステップＳ１６、Ｓ１７）。ＬＥＤ１０２ａによる通信速度の表示は、通信スロット数が１の場合（通信速度が３２Ｋｂｐｓ）から開始される。
【００５２】
その後、ＰＣ１０とＰＨＳの無線基地局１の間で送受信されるデータ流量の監視（検出）を開始し（ステップＳ１８）、データ流量が増速閾値（最初は３２Ｋｂｐｓ）を超えているかどうかを判定する（ステップＳ１９）。また、ステップＳ１９においては、通信部１２０で受信した無線基地局からの電波の強度（電波環境）の情報等により、増速処理が可能かどうかを判定する。
【００５３】
ステップＳ１９において、データ流量が増速閾値を超えており、かつ、電波環境により増速処理が可能であると判定された場合は、通信速度の増速処理（通信スロット数の増加処理）を行う（ステップＳ２０）。増速処理の実行後、増速後の通信スロット数を検出し（ステップＳ２１）、表示制御部１１５により表示部１０２のＬＥＤ１０２ａを制御し（ステップＳ２２）、通信スロット数に応じた状態でＬＥＤ１０２ａを点灯させる（ステップＳ２３）。その後、ステップＳ１９に移行し、データ流量の監視を継続し、増速閾値を超えているかどうかを判定する処理に戻る。なお、増速閾値は、３２Ｋｂｐｓ単位で増加する。
【００５４】
また、ステップＳ１９において、データ流量が増速閾値を超えていないと判定された場合は、データ流量が減速閾値「（現在のスロット数−１）×３２Ｋｂｐｓ」以下かどうかを判定し（ステップＳ２４）、ＮＯと判定された場合は、ステップＳ１９に戻る。
【００５５】
ステップＳ２４において、ＹＥＳと判定された場合は、減速処理（通信スロット数の減数処理）を行う（ステップＳ２５）。その後、ステップＳ２１に移行し、通信スロット数を検出し（ステップＳ２１）、表示制御部１１５により表示部１０２のＬＥＤ１０２ａを制御し（ステップＳ２２）、通信スロット数に応じた状態でＬＥＤ１０２ａを点灯させる（ステップＳ２３）。
【００５６】
上述した処理手順により、ユーザはＬＥＤ１０２ａの表示状態を見ることにより、通信中の使用スロット数を知ることができる。すなわち、ＰＨＳデータ通信カード１００は、その時点での最大通信速度をユーザに報知でき、それに対してユーザは電波環境を知り、ＰＣを移動するなどの通信速度の改善策をとることができる。
【００５７】
図７は携帯通信端末を利用する場合の例を示す図である。
上述した実施形態はＰＨＳデータ通信カード１００がＰＣ１０に装着された場合の例を示したが、図７が示すように、携帯通信端末がノートＰＣなどに接続され、当該携帯通信端末が、最大通信速度をノートＰＣの画面や自端末の液晶画面に表示する処理を行うようにしても良い。なお携帯通信端末とノートＰＣとの間の接続をＵＳＢケーブルやその他のケーブルにより接続される。
【００５８】
図８は携帯通信端末を利用した場合の、データ通信カードの構成例を示すブロック図である。
図８の示すデータ通信カードの構成は、図４において表示部１０２は携帯端末の液晶画面であり、また制御部１１０内のスロット数検出部１１４が帯域数検出部１１７となった場合の例を示している。またＰＣ１０がノートＰＣ１０ａに、またノートＰＣ１０ａにおいて表示制御部１５、表示部１６の構成が追加されている。
【００５９】
図８のような構成によって、上述の実施例と同様に、帯域数検出部１１７が通信の帯域幅を検出し、表示制御部１１５が帯域幅の単位（上述の例ではスロット数）に応じた文字または図形の画面を表示部１０２に出力する。または表示制御部１１５はＰＣＭＣＩＡインタフェースを解してノートＰＣ１０ａに出力する。このときデータ通信カード１００ａにおいては、表示制御部１１５の制御によって、文字または図形などにより最大通信速度を携帯通信端末などの表示部１０２に出力する。またノートＰＣ１０ａであれば、表示制御部１５が文字または図形などにより最大通信速度を表示部１６へ出力する。
【００６０】
図９は表示部における最大通信速度の表示方式を示す図である。
図９の（ａ）は、文字表示１の例であり、帯域幅がスロット数で検出される場合にはそのスロット数を表示する。また（ｂ）は文字表示２の例であり、現時点での帯域幅が最大帯域幅の何パーセントにあたるかを表示する。また（ｃ）は図形表示１であり、アナログメモリの図柄によりメータ表示されている。また（ｄ）図形表示２でありインジケータのメモリの図柄によりメータ表示されている。なお、図９は一部の例であり、他の文字表示や図形表示であってもよい。
【００６１】
以上、本発明の実施の形態について説明したが、本発明の無線通信装置は、上述の図示例にのみ限定されるものではなく、本発明の要旨を逸脱しない範囲内において種々変更を加え得ることは勿論である。
【産業上の利用可能性】
【００６２】
本発明は、現在の通信速度をリアルタイムで、かつ容易に識別できる方法によりユーザに報知できる効果を奏するので、本発明は、無線通信装置、無線通信速度表示方法、記録媒体、およびプログラム等に有用である。
【図面の簡単な説明】
【００６３】
【図１】本発明によるＰＨＳデータ通信カードの例を示す図である。
【図２】ＰＨＳデータ通信カードにおける制御手順を示す状態遷移図である。
【図３】ＬＥＤによる通信速度の表示方法の例を示す図である。
【図４】ＰＨＳデータ通信カードの構成例を示すブロック図である。
【図５】ＰＨＳデータ通信カード内における処理の流れを示すフローチャートである。
【図６】ＰＨＳにおける物理チャネルとスロットについて説明するための図である。
【図７】携帯通信端末を利用する場合の例を示す図である。
【図８】携帯通信端末を利用した場合の、データ通信カードの構成例を示すブロック図である。
【図９】表示部における最大通信速度の表示方式を示す図である。
【符号の説明】
【００６４】
１  無線基地局
２  ＰＨＳ電話網
３  インターネット網
１０  ＰＣ（パーソナルコンピュータ）
１１  ＣＰＵ
１２  ＲＯＭ
１３  ＲＡＭ
１４  ＰＣＭＣＩＡ・Ｉ／Ｆ部
１００  ＰＨＳデータ通信カード
１０１  ＰＣＭＣＩＡ・Ｉ／Ｆ部
１０２  表示部
１０２ａ  ＬＥＤ
１０３  ＲＡＭ
１０４  ＲＯＭ
１１０  制御部
１１１  増速／減速処理部
１１２  データ流量検出部
１１３  スロット数切替部
１１４  スロット数検出部
１１５  表示制御部
１２０  通信部
１２１  パケット通信部
１２２  送受信部（ＲＦ）
１２３  アンテナ
【図１】
2007013330.tif 000003
【図２】
2007013330.tif 000004
【図３】
2007013330.tif 000005
【図４】
2007013330.tif 000006
【図５】
2007013330.tif 000007
【図６】
2007013330.tif 000008
【図７】
2007013330.tif 000009
【図８】
2007013330.tif 000010
【図９】
2007013330.tif 000011